(57)【要約】      （修正有）【課題】光源と光源の前方に配置された配光形成レンズ部とを備えた車両用灯具において、外部から光源やその周囲に配置された配線等の内部構造が直接視認されないように見栄えを改善するとともに光利用効率を高める。【解決手段】車両用灯具１０は、光源１２と光源１２の前方に配置された配光形成レンズ部１４、見栄え用発光レンズ部１６とを備える。配光形成レンズ部１４を透過して前方に照射される光源１２からの光ＲａｙＡにより所定配光パターンを形成し、見栄え用発光レンズ部１６の外周面１６ｂは、光源１２からの光ＲａｙＢ１、ＲａｙＢ２を拡散させる拡散面として構成される。【選択図】図１
2015204228.tif 000002
【特許請求の範囲】
【請求項１】
光源と前記光源の前方に配置された配光形成レンズ部とを備え、前記配光形成レンズ部を透過して前方に照射される前記光源からの光により所定配光パターンを形成するように構成された車両用灯具において、
前記配光形成レンズ部の周囲を取り囲む前端部を含み、かつ、前記前端部から前記光源側に筒状に延びて、前記配光形成レンズ部と前記光源との間の空間を取り囲む筒状の見栄え用発光レンズ部を備え、
前記見栄え用発光レンズ部の外周面は、下面と当該下面以外の面とを含み、
前記下面は、前記見栄え用発光レンズ部の内周面から前記見栄え用発光レンズ部内部に入射し、当該下面に入射する前記光源からの光を拡散反射させる拡散反射面として構成されており、
前記下面以外の面は、前記見栄え用発光レンズ部の内周面から前記見栄え用発光レンズ部内部に入射し、当該下面以外の面から出射する前記光源からの光を拡散させる拡散面として構成されている車両用灯具。
【請求項２】
前記見栄え用発光レンズ部の内周面は、当該内周面から前記見栄え用発光レンズ部内部に入射する前記光源からの光を拡散させる拡散面として構成されている請求項１に記載の車両用灯具。
【請求項３】
前記配光形成レンズ部は、正面視で外形が矩形形状のレンズ部として構成されており、
前記見栄え用発光レンズ部は、前記配光形成レンズ部の周囲を取り囲む前端部を含み、かつ、前記前端部から前記光源側に矩形筒状に延びて、前記配光形成レンズ部と前記光源との間の空間を取り囲む矩形筒状のレンズ部として構成されており、
前記見栄え用発光レンズ部の外周面は、前記下面及び前記下面以外の面で囲まれた矩形筒状の面として構成されている請求項１又は２に記載の車両用灯具。
【請求項４】
前記配光形成レンズ部は、正面視で外形が円形状又は楕円形状のレンズ部として構成されており、
前記見栄え用発光レンズ部は、前記配光形成レンズ部の周囲を取り囲む前端部を含み、かつ、前記前端部から前記光源側に円形又は楕円形筒状に延びて、前記配光形成レンズ部と前記光源との間の空間を取り囲む円形又は楕円形筒状のレンズ部として構成されており、
前記見栄え用発光レンズ部の外周面は、前記下面及び前記下面以外の面で囲まれた円形又は楕円形筒状の面として構成されている請求項１又は２に記載の車両用灯具。
【請求項５】
前記見栄え用発光レンズ部の後端面は、当該後端面から前記見栄え用発光レンズ部内部に入射した前記光源からの光が平行光線となって前記見栄え用発光レンズ部の前端面に向かって進行して当該前端面から出射するように、その面形状が構成されており、
前記見栄え用発光レンズ部の前端面は、当該前端面から出射する前記光源からの光を拡散させる拡散面として構成されている請求項１から４のいずれか１項に記載の車両用灯具。
【請求項６】
前記見栄え用発光レンズ部の後端面は、当該後端面から前記見栄え用発光レンズ部内部に入射した前記光源からの光が平行光線となって前記見栄え用発光レンズ部の前端面に向かって進行して当該前端面から出射するように、その面形状が構成されており、
前記見栄え用発光レンズ部の前端面は、その前方に焦点が設定された複数のレンズ面を含む請求項１から４のいずれか１項に記載の車両用灯具。
【請求項７】
前記拡散面及び前記拡散反射面は、複数の微小凹凸を含むシボ面又はカット面である請求項１から６のいずれか１項に記載の車両用灯具。
【請求項８】
前記配光形成レンズ部と前記見栄え用発光レンズ部は、一体成形されている請求項１から７のいずれか１項に記載の車両用灯具。
【請求項９】
前記見栄え用発光レンズ部の外周面の一部が外部から視認されるように、前記見栄え用発光レンズ部の外周面のうち前記一部以外の部分を取り囲んだ状態で配置されたエクステンションをさらに備えた請求項１から８のいずれか１項に記載の車両用灯具。
【請求項１０】
所定配光パターンを形成するように構成されたレンズ体において、
光源の前方に配置される配光形成レンズ部と、
前記配光形成レンズ部の周囲を取り囲む前端部を含み、かつ、前記前端部から前記光源側に筒状に延びて、前記配光形成レンズ部と前記光源との間の空間を取り囲む筒状の見栄え用発光レンズ部と、を備え、
前記配光形成レンズ部は、当該配光形成レンズ部を透過して前方に照射される前記光源からの光により所定配光パターンを形成するレンズ部として構成されており、
前記見栄え用発光レンズ部の外周面は、下面と当該下面以外の面とを含み、
前記下面は、前記見栄え用発光レンズ部の内周面から前記見栄え用発光レンズ部内部に入射し、当該下面に入射する前記光源からの光を拡散反射させる拡散反射面として構成されており、
前記下面以外の面は、前記見栄え用発光レンズ部の内周面から前記見栄え用発光レンズ部内部に入射し、当該下面以外の面から出射する前記光源からの光を拡散させる拡散面として構成されているレンズ体。
【請求項１１】
前記見栄え用発光レンズ部の内周面は、当該内周面から前記見栄え用発光レンズ部内部に入射する前記光源からの光を拡散させる拡散面として構成されている請求項１０に記載のレンズ体。
【請求項１２】
前記配光形成レンズ部は、正面視で外形が矩形形状のレンズ部として構成されており、
前記見栄え用発光レンズ部は、前記配光形成レンズ部の周囲を取り囲む前端部を含み、かつ、前記前端部から前記光源側に矩形筒状に延びて、前記配光形成レンズ部と前記光源との間の空間を取り囲む矩形筒状のレンズ部として構成されており、
前記見栄え用発光レンズ部の外周面は、前記下面及び前記下面以外の面で囲まれた矩形筒状の面として構成されている請求項１０又は１１に記載のレンズ体。
【請求項１３】
前記配光形成レンズ部は、正面視で外形が円形状又は楕円形状のレンズ部として構成されており、
前記見栄え用発光レンズ部は、前記配光形成レンズ部の周囲を取り囲む前端部を含み、かつ、前記前端部から前記光源側に円形又は楕円形筒状に延びて、前記配光形成レンズ部と前記光源との間の空間を取り囲む円形又は楕円形筒状のレンズ部として構成されており、
前記見栄え用発光レンズ部の外周面は、前記下面及び前記下面以外の面で囲まれた円形又は楕円形筒状の面として構成されている請求項１０又は１１に記載のレンズ体。
【請求項１４】
前記見栄え用発光レンズ部の後端面は、当該後端面から前記見栄え用発光レンズ部内部に入射した前記光源からの光が平行光線となって前記見栄え用発光レンズ部の前端面に向かって進行して当該前端面から出射するように、その面形状が構成されており、
前記見栄え用発光レンズ部の前端面は、当該前端面から出射する前記光源からの光を拡散させる拡散面として構成されている請求項１０から１３のいずれか１項に記載のレンズ体。
【請求項１５】
前記見栄え用発光レンズ部の後端面は、当該後端面から前記見栄え用発光レンズ部内部に入射した前記光源からの光が平行光線となって前記見栄え用発光レンズ部の前端面に向かって進行して当該前端面から出射するように、その面形状が構成されており、
前記見栄え用発光レンズ部の前端面は、その前方に焦点が設定された複数のレンズ面を含む請求項１０から１３のいずれか１項に記載のレンズ体。
【請求項１６】
前記拡散面及び前記拡散反射面は、複数の微小凹凸を含むシボ面又はカット面である請求項１０から１５のいずれか１項に記載のレンズ体。
【請求項１７】
前記配光形成レンズ部と前記見栄え用発光レンズ部は、一体成形されている請求項１０から１６のいずれか１項に記載のレンズ体。
【発明の詳細な説明】
【技術分野】
【０００１】
本発明は、車両用灯具及びレンズ体に係り、特に、光源と光源の前方に配置された配光形成レンズ部とを備えた車両用灯具及びこれに用いられるレンズ体に関する。
【背景技術】
【０００２】
従来、光源と光源の前方に配置された配光形成レンズ部とを備えた車両用灯具が提案されている（例えば、特許文献１参照）。
【０００３】
図１４は、特許文献１に記載の車両用灯具２００の概略構成図である。
【０００４】
図１４に示すように、特許文献１に記載の車両用灯具２００は、光源２１０（半導体発光素子）と光源２１０の前方に配置された配光形成レンズ部２２０等を備えている。
【０００５】
配光形成レンズ部２２０は、前方側表面２２２及び後方側表面２２４を含み、後方側表面２２４から配光形成レンズ部２２０内部に入射し、前方側表面２２２から出射する光源２１０からの光により所定配光パターンを形成するレンズ部として構成されている。
【先行技術文献】
【特許文献】
【０００６】
【特許文献１】特開２０１３−２６１８５号公報
【発明の概要】
【発明が解決しようとする課題】
【０００７】
しかしながら、特許文献１に記載の車両用灯具２００においては、配光形成レンズ部２２０が光源２１０から離間した位置に配置されており（すなわち、光源２１０と配光形成レンズ部２２０との間に空間が形成されており）、外部から当該空間を通して光源２１０やその周囲に配置された配線等の内部構造が直接視認される結果、見栄えが低下するという問題がある。
【０００８】
また、特許文献１に記載の車両用灯具２００においては、光源２１０からの光のうち配光形成レンズ部２２０を透過する光より広角方向の光Ｒａｙが損失となる結果、光利用効率が低下するという問題がある。
【０００９】
本発明は、このような事情に鑑みてなされたものであり、光源と光源の前方に配置された配光形成レンズ部とを備えた車両用灯具において、外部から光源やその周囲に配置された配線等の内部構造が直接視認されないように見栄えを改善するとともに、光利用効率を高めることを目的とする。
【課題を解決するための手段】
【００１０】
上記目的を達成するため、請求項１に記載の発明は、光源と前記光源の前方に配置された配光形成レンズ部とを備え、前記配光形成レンズ部を透過して前方に照射される前記光源からの光により所定配光パターンを形成するように構成された車両用灯具において、前記配光形成レンズ部の周囲を取り囲む前端部を含み、かつ、前記前端部から前記光源側に筒状に延びて、前記配光形成レンズ部と前記光源との間の空間を取り囲む筒状の見栄え用発光レンズ部を備え、前記見栄え用発光レンズ部の外周面は、下面と当該下面以外の面とを含み、前記下面は、前記見栄え用発光レンズ部の内周面から前記見栄え用発光レンズ部内部に入射し、当該下面に入射する前記光源からの光を拡散反射させる拡散反射面として構成されており、前記下面以外の面は、前記見栄え用発光レンズ部の内周面から前記見栄え用発光レンズ部内部に入射し、当該下面以外の面から出射する前記光源からの光を拡散させる拡散面として構成されている車両用灯具であることを特徴とする。
【００１１】
請求項１に記載の発明によれば、光源と光源の前方に配置された配光形成レンズ部とを備えた車両用灯具において、外部から光源やその周囲に配置された配線等の内部構造が直接視認されないように見栄えを改善するとともに、光利用効率を高めることができる。
【００１２】
外部から光源やその周囲に配置された配線等の内部構造が直接視認されないように見栄えを改善することができるのは、見栄え用発光レンズ部が、配光形成レンズ部の周囲を取り囲む前端部を含み、かつ、当該前端部から光源側に筒状に延びて、配光形成レンズ部と光源との間の空間を取り囲んでいることによるものである。
【００１３】
光利用効率を高めることができるのは、光源からの光のうち配光形成レンズ部を透過する光より広角方向の光（すなわち、配光形成レンズ部に入射しない従来損失となっていた光）を、見栄え用発光レンズ部が発光しているように視認させるために用いたことによるものである。
【００１４】
また、請求項１に記載の発明によれば、見栄え用発光レンズ部全面が発光しているように視認される（すなわち、見栄え用発光レンズ部が立体的に発光しているように視認される）新規見栄えの車両用灯具を提供することができる。これは、見栄え用発光レンズ部内部に入射した光が、外周面（拡散反射面及び拡散面）の作用により、見栄え用発光レンズ部全面から拡散光として出射することによるものである。
【００１５】
請求項２に記載の発明は、請求項１に記載の発明において、前記見栄え用発光レンズ部の内周面は、当該内周面から前記見栄え用発光レンズ部内部に入射する前記光源からの光を拡散させる拡散面として構成されている。
【００１６】
請求項２に記載の発明によれば、見栄え用発光レンズ部の内周面を拡散面として構成することで、当該見栄え用発光レンズ部の内周面から見栄え用発光レンズ部内部に入射する光源からの光を見栄え用発光レンズ部の外周面の全域（又は略全域）に入射させることができる。
【００１７】
請求項３に記載の発明は、請求項１又は２に記載の発明において、前記配光形成レンズ部は、正面視で外形が矩形形状のレンズ部として構成されており、前記見栄え用発光レンズ部は、前記配光形成レンズ部の周囲を取り囲む前端部を含み、かつ、前記前端部から前記光源側に矩形筒状に延びて、前記配光形成レンズ部と前記光源との間の空間を取り囲む矩形筒状のレンズ部として構成されており、前記見栄え用発光レンズ部の外周面は、前記下面及び前記下面以外の面で囲まれた矩形筒状の面として構成されていることを特徴とする。
【００１８】
請求項３に記載の発明によれば、矩形筒状の見栄え用発光レンズ部全面が発光しているように視認される（すなわち、矩形筒状の見栄え用発光レンズ部が立体的に発光しているように視認される）新規見栄えの車両用灯具を提供することができる。これは、矩形筒状の見栄え用発光レンズ部内部に入射した光が、外周面（拡散反射面及び拡散面）の作用により、矩形筒状の見栄え用発光レンズ部全面から拡散光として出射することによるものである。
【００１９】
請求項４に記載の発明は、請求項１又は２に記載の発明において、前記配光形成レンズ部は、正面視で外形が円形状又は楕円形状のレンズ部として構成されており、前記見栄え用発光レンズ部は、前記配光形成レンズ部の周囲を取り囲む前端部を含み、かつ、前記前端部から前記光源側に円形又は楕円形筒状に延びて、前記配光形成レンズ部と前記光源との間の空間を取り囲む円形又は楕円形筒状のレンズ部として構成されており、前記見栄え用発光レンズ部の外周面は、前記下面及び前記下面以外の面で囲まれた円形又は楕円形筒状の面として構成されていることを特徴とする。
【００２０】
請求項４に記載の発明によれば、円形又は楕円形筒状の見栄え用発光レンズ部全面が発光しているように視認される（すなわち、円形又は楕円形筒状の見栄え用発光レンズ部が立体的に発光しているように視認される）新規見栄えの車両用灯具を提供することができる。これは、円形又は楕円形筒状の見栄え用発光レンズ部内部に入射した光が、外周面（拡散反射面及び拡散面）の作用により、円形又は楕円形筒状の見栄え用発光レンズ部全面から拡散光として出射することによるものである。
【００２１】
請求項５に記載の発明は、請求項１から４のいずれか１項に記載の発明において、前記見栄え用発光レンズ部の後端面は、当該後端面から前記見栄え用発光レンズ部内部に入射した前記光源からの光が平行光線となって前記見栄え用発光レンズ部の前端面に向かって進行して当該前端面から出射するように、その面形状が構成されており、前記見栄え用発光レンズ部の前端面は、当該前端面から出射する前記光源からの光を拡散させる拡散面として構成されていることを特徴とする。
【００２２】
請求項５に記載の発明によれば、見栄え用発光レンズ部全面が発光しているように視認される（すなわち、見栄え用発光レンズ部が立体的に発光しているように視認される）新規見栄えの車両用灯具を提供することができる。これは、見栄え用発光レンズ部内部に入射した光が、外周面（拡散反射面及び拡散面）及び見栄え用発光レンズ部の前端面（拡散面）の作用により、見栄え用発光レンズ部全面から拡散光として出射することによるものである。
【００２３】
請求項６に記載の発明は、請求項１から４のいずれか１項に記載の発明において、前記見栄え用発光レンズ部の後端面は、当該後端面から前記見栄え用発光レンズ部内部に入射した前記光源からの光が平行光線となって前記見栄え用発光レンズ部の前端面に向かって進行して当該前端面から出射するように、その面形状が構成されており、前記見栄え用発光レンズ部の前端面は、その前方に焦点が設定された複数のレンズ面を含むことを特徴とする。
【００２４】
請求項６に記載の発明によれば、見栄え用発光レンズ部全面が発光しているように視認される（すなわち、見栄え用発光レンズ部が立体的に発光しているように視認される）新規見栄えの車両用灯具を提供することができる。これは、見栄え用発光レンズ部内部に入射した光が、外周面（拡散反射面及び拡散面）及び見栄え用発光レンズ部の前端面（複数のレンズ面）の作用により、見栄え用発光レンズ部全面から拡散光として出射することによるものである。
【００２５】
また、請求項６に記載の発明によれば、レンズ面から出射する光源からの光を集光させた後、拡散させることができる。また、各々のレンズ面から出射する光が１点に集光するため、レンズ面の数だけ点が並んだ新規見栄えの車両用灯具を提供することができる。
【００２６】
請求項７に記載の発明は、請求項１から６のいずれか１項に記載の発明において、前記拡散面及び前記拡散反射面は、複数の微小凹凸を含むシボ面又はカット面であることを特徴とする。
【００２７】
請求項７に記載の発明によれば、光源からの光を複数の微小凹凸を含むシボ面又はカット面の作用によりあらゆる方向に拡散させることができる。
【００２８】
請求項８に記載の発明は、請求項１から７のいずれか１項に記載の発明において、前記配光形成レンズ部と前記見栄え用発光レンズ部は、一体成形されていることを特徴とする。
【００２９】
請求項８に記載の発明によれば、配光形成レンズ部と見栄え用発光レンズ部が一体成形された車両用灯具を提供することができる。
【００３０】
請求項９に記載の発明は、請求項１から８のいずれか１項に記載の発明において、前記見栄え用発光レンズ部の外周面の一部が外部から視認されるように、前記見栄え用発光レンズ部の外周面のうち前記一部以外の部分を取り囲んだ状態で配置されたエクステンションをさらに備えたことを特徴とする。
【００３１】
請求項９に記載の発明によれば、エクステンションが見栄え用発光レンズ部の外周面のうち一部以外の部分を取り囲み、かつ、見栄え用発光レンズ部の外周面の一部が外部から視認される新規見栄えの車両用灯具を提供することができる。
【００３２】
請求項１０に記載の発明は、所定配光パターンを形成するように構成されたレンズ体において、光源の前方に配置される配光形成レンズ部と、前記配光形成レンズ部の周囲を取り囲む前端部を含み、かつ、前記前端部から前記光源側に筒状に延びて、前記配光形成レンズ部と前記光源との間の空間を取り囲む筒状の見栄え用発光レンズ部と、を備え、前記配光形成レンズ部は、当該配光形成レンズ部を透過して前方に照射される前記光源からの光により所定配光パターンを形成するレンズ部として構成されており、前記見栄え用発光レンズ部の外周面は、下面と当該下面以外の面とを含み、前記下面は、前記見栄え用発光レンズ部の内周面から前記見栄え用発光レンズ部内部に入射し、当該下面に入射する前記光源からの光を拡散反射させる拡散反射面として構成されており、前記下面以外の面は、前記見栄え用発光レンズ部の内周面から前記見栄え用発光レンズ部内部に入射し、当該下面以外の面から出射する前記光源からの光を拡散させる拡散面として構成されているレンズ体であることを特徴とする。
【００３３】
請求項１０に記載の発明によれば、光源と光源の前方に配置された配光形成レンズ部とを備えた車両用灯具において、外部から光源やその周囲に配置された配線等の内部構造が直接視認されないように見栄えを改善するとともに、光利用効率を高めることができるレンズ体を提供することができる。
【００３４】
外部から光源やその周囲に配置された配線等の内部構造が直接視認されないように見栄えを改善することができるのは、見栄え用発光レンズ部が、配光形成レンズ部の周囲を取り囲む前端部を含み、かつ、当該前端部から光源側に筒状に延びて、配光形成レンズ部と光源との間の空間を取り囲んでいることによるものである。
【００３５】
光利用効率を高めることができるのは、光源からの光のうち配光形成レンズ部を透過する光より広角方向の光（すなわち、配光形成レンズ部に入射しない従来損失となっていた光）を、見栄え用発光レンズ部が発光しているように視認させるために用いたことによるものである。
【００３６】
また、請求項１０に記載の発明によれば、見栄え用発光レンズ部全面が発光しているように視認される（すなわち、見栄え用発光レンズ部が立体的に発光しているように視認される）新規見栄えのレンズ体を提供することができる。これは、見栄え用発光レンズ部内部に入射した光が、外周面（拡散反射面及び拡散面）の作用により、見栄え用発光レンズ部全面から拡散光として出射することによるものである。
【００３７】
請求項１１に記載の発明は、請求項１０に記載の発明において、前記見栄え用発光レンズ部の内周面は、当該内周面から前記見栄え用発光レンズ部内部に入射する前記光源からの光を拡散させる拡散面として構成されていることを特徴とする。
【００３８】
請求項１１に記載の発明によれば、見栄え用発光レンズ部の内周面を拡散面として構成することで、当該見栄え用発光レンズ部の内周面から見栄え用発光レンズ部内部に入射する光源からの光を見栄え用発光レンズ部の外周面の全域（又は略全域）に入射させることができる。
【００３９】
請求項１２に記載の発明は、請求項１０又は１１に記載の発明において、前記配光形成レンズ部は、正面視で外形が矩形形状のレンズ部として構成されており、前記見栄え用発光レンズ部は、前記配光形成レンズ部の周囲を取り囲む前端部を含み、かつ、前記前端部から前記光源側に矩形筒状に延びて、前記配光形成レンズ部と前記光源との間の空間を取り囲む矩形筒状のレンズ部として構成されており、前記見栄え用発光レンズ部の外周面は、前記下面及び前記下面以外の面で囲まれた矩形筒状の面として構成されていることを特徴とする。
【００４０】
請求項１２に記載の発明によれば、矩形筒状の見栄え用発光レンズ部全面が発光しているように視認される（すなわち、矩形筒状の見栄え用発光レンズ部が立体的に発光しているように視認される）新規見栄えのレンズ体を提供することができる。これは、矩形筒状の見栄え用発光レンズ部内部に入射した光が、外周面（拡散反射面及び拡散面）の作用により、矩形筒状の見栄え用発光レンズ部全面から拡散光として出射することによるものである。
【００４１】
請求項１３に記載の発明は、請求項１０又は１１に記載の発明において、前記配光形成レンズ部は、正面視で外形が円形状又は楕円形状のレンズ部として構成されており、前記見栄え用発光レンズ部は、前記配光形成レンズ部の周囲を取り囲む前端部を含み、かつ、前記前端部から前記光源側に円形又は楕円形筒状に延びて、前記配光形成レンズ部と前記光源との間の空間を取り囲む円形又は楕円形筒状のレンズ部として構成されており、前記見栄え用発光レンズ部の外周面は、前記下面及び前記下面以外の面で囲まれた円形又は楕円形筒状の面として構成されていることを特徴とする。
【００４２】
請求項１３に記載の発明によれば、円形又は楕円形筒状の見栄え用発光レンズ部全面が発光しているように視認される（すなわち、円形又は楕円形筒状の見栄え用発光レンズ部が立体的に発光しているように視認される）新規見栄えのレンズ体を提供することができる。これは、円形又は楕円形筒状の見栄え用発光レンズ部内部に入射した光が、外周面（拡散反射面及び拡散面）の作用により、円形又は楕円形筒状の見栄え用発光レンズ部全面から拡散光として出射することによるものである。
【００４３】
請求項１４に記載の発明は、請求項１０から１３のいずれか１項に記載の発明において、前記見栄え用発光レンズ部の後端面は、当該後端面から前記見栄え用発光レンズ部内部に入射した前記光源からの光が平行光線となって前記見栄え用発光レンズ部の前端面に向かって進行して当該前端面から出射するように、その面形状が構成されており、前記見栄え用発光レンズ部の前端面は、当該前端面から出射する前記光源からの光を拡散させる拡散面として構成されていることを特徴とする。
【００４４】
請求項１４に記載の発明によれば、見栄え用発光レンズ部全面が発光しているように視認される（すなわち、見栄え用発光レンズ部が立体的に発光しているように視認される）新規見栄えのレンズ体を提供することができる。これは、見栄え用発光レンズ部内部に入射した光が、外周面（拡散反射面及び拡散面）及び見栄え用発光レンズ部の前端面（拡散面）の作用により、見栄え用発光レンズ部全面から拡散光として出射することによるものである。
【００４５】
請求項１５に記載の発明は、請求項１２から１７のいずれか１項に記載の発明において、前記見栄え用発光レンズ部の後端面は、当該後端面から前記見栄え用発光レンズ部内部に入射した前記光源からの光が平行光線となって前記見栄え用発光レンズ部の前端面に向かって進行して当該前端面から出射するように、その面形状が構成されており、前記見栄え用発光レンズ部の前端面は、その前方に焦点が設定された複数のレンズ面を含むことを特徴とする。
【００４６】
請求項１５に記載の発明によれば、見栄え用発光レンズ部全面が発光しているように視認される（すなわち、見栄え用発光レンズ部が立体的に発光しているように視認される）新規見栄えのレンズ体を提供することができる。これは、見栄え用発光レンズ部内部に入射した光が、外周面（拡散反射面及び拡散面）及び見栄え用発光レンズ部の前端面（複数のレンズ面）の作用により、見栄え用発光レンズ部全面から拡散光として出射することによるものである。
【００４７】
また、請求項１５に記載の発明によれば、レンズ面から出射する光源からの光を集光させた後、拡散させることができる。また、各々のレンズ面から出射する光が１点に集光するため、レンズ面の数だけ点が並んだ新規見栄えのレンズ体を提供することができる。
【００４８】
請求項１６に記載の発明は、請求項１０から１５のいずれか１項に記載の発明において、前記拡散面及び前記拡散反射面は、複数の微小凹凸を含むシボ面又はカット面であるであることを特徴とする。
【００４９】
請求項１６に記載の発明によれば、光源からの光を複数の微小凹凸を含むシボ面又はカット面の作用によりあらゆる方向に拡散させることができる。
【００５０】
請求項１７に記載の発明は、請求項１０から１６のいずれか１項に記載の発明において、前記配光形成レンズ部と前記見栄え用発光レンズ部は、一体成形されていることを特徴とする。
【００５１】
請求項１７に記載の発明によれば、配光形成レンズ部と見栄え用発光レンズ部が一体成形されたレンズ体を提供することができる。
【発明の効果】
【００５２】
本発明によれば、光源と光源の前方に配置された配光形成レンズ部とを備えた車両用灯具において、外部から光源やその周囲に配置された配線等の内部構造が直接視認されないように見栄えを改善するとともに、光利用効率を高めることができる。
【図面の簡単な説明】
【００５３】
【図１】（ａ）本発明の一実施形態である車両用灯具１０の正面図、（ｂ）斜視図、（ｃ）縦断面図、（ｄ）縦断面図（光路含む）である。
【図２】配光形成レンズ部１４の斜視図である。
【図３】（ａ）〜（ｄ）配光形成レンズ部１４を透過して前方に照射される光源１２からの光ＲａｙＡにより仮想鉛直スクリーン上に形成されるロービーム用配光パターンの一部を構成する部分配光パターンの例、（ｅ）図３（ａ）〜図３（ｄ）に示す部分配光パターンが重畳されることで形成されるロービーム用配光パターンの例である。
【図４】配光形成レンズ部１４を透過して前方に照射される光源１２からの光ＲａｙＡにより路面に形成される路面配光パターンの例である。
【図５】配光形成レンズ部１４（変形例）の正面図である。
【図６】（ａ）本実施形態の車両用灯具１０のシミュレーション結果を表す図、（ｂ）比較例の車両用灯具（車両用灯具１０から見栄え用発光レンズ部１６を省略した車両用灯具）のシミュレーション結果を表す図である。
【図７】本実施形態の車両用灯具１０（見栄え用発光レンズ部１６の内周面１６ａが拡散面ではなく、平面として構成された車両用灯具）のシミュレーション結果を表す図である。
【図８】（ａ）本実施形態の車両用灯具１０（見栄え用発光レンズ部１６の内周面１６ａが、相対的に粗さが大きいシボ面として構成された車両用灯具）のシミュレーション結果を表す図、（ｂ）本実施形態の車両用灯具１０（見栄え用発光レンズ部１６の内周面１６ａが、相対的に粗さが小さいシボ面として構成された車両用灯具）のシミュレーション結果を表す図である。
【図９】エクステンションＥを追加した車両用灯具１０の斜視図である。
【図１０】見栄え用発光レンズ部１６の第１変形例である見栄え用発光レンズ部１６Ａの縦断面図である。
【図１１】見栄え用発光レンズ部１６の第２変形例である見栄え用発光レンズ部１６Ｂの斜視図、図１２は縦断面図である。
【図１２】見栄え用発光レンズ部１６の第２変形例である見栄え用発光レンズ部１６Ｂの縦断面図である。
【図１３】第２変形例の見栄え用発光レンズ部１６Ｂを用いた車両用灯具１０のシミュレーション結果を表す図である。
【図１４】特許文献１に記載の車両用灯具２００の概略構成図である。
【発明を実施するための形態】
【００５４】
以下、本発明の一実施形態である車両用灯具について、図面を参照しながら説明する。
【００５５】
図１（ａ）は本発明の一実施形態である車両用灯具１０の正面図、図１（ｂ）は斜視図、図１（ｃ）は縦断面図、図１（ｄ）は縦断面図（光路含む）である。
【００５６】
図１（ａ）〜図１（ｄ）に示すように、本実施形態の車両用灯具１０は、光源１２、光源１２の前方に配置された配光形成レンズ部１４、見栄え用発光レンズ部１６等を備え、配光形成レンズ部１４を透過して前方に照射される光源１２からの光ＲａｙＡにより車両前面に正対した仮想鉛直スクリーン（車両前面から約２５ｍ前方に配置されている）上にロービーム用配光パターンの一部を構成する部分配光パターン（本発明の所定配光パターンに相当）を形成する車両用前照灯として構成されている。
【００５７】
光源１２は、例えば、金属製の基板（図示せず）、当該基板の表面に実装された白色ＬＥＤ光源（又は白色ＬＤ光源）等の半導体発光素子を備えている。白色ＬＥＤ光源は、発光面１２ａ（例えば１ｍｍ角）を含んでいる。なお、白色ＬＥＤ光源の個数は、１以上であればよい。
【００５８】
光源１２（発光面１２ａ）から放出される光の指向特性はランバーシアンで、Ｉ（θ）＝Ｉ０×cosθで表すことができる。これは、光源１２（発光面１２ａ）が放出する光の広がりを表している。但し、Ｉ（θ）は光源１２（発光面１２ａ）の光軸ＡＸ１２から角度θ傾いた方向の光度を表し、Ｉ０は光軸ＡＸ１２上の光度を表している。光源１２（発光面１２ａ）では、光軸ＡＸ１２上（θ＝０）の光度が最大となる。
【００５９】
光源１２は、発光面１２ａを前方に向け、光軸ＡＸ１２が車両前後方向に延びる基準軸ＡＸに一致した状態で配光形成レンズ部１４の光学設計上の基準点Ｆ近傍に配置されている（図１（ｃ）参照）。
【００６０】
光源１２の前方かつ基準軸ＡＸ上には、配光形成レンズ部１４が配置されている。
【００６１】
図２は、配光形成レンズ部１４の斜視図である。図３（ａ）〜図３（ｄ）は、配光形成レンズ部１４を透過して前方に照射される光源１２からの光ＲａｙＡにより仮想鉛直スクリーン上に形成されるロービーム用配光パターンの一部を構成する部分配光パターンの例である。図３（ｅ）は、図３（ａ）〜図３（ｄ）に示す部分配光パターンが重畳されることで形成されるロービーム用配光パターンの例である。図４は、配光形成レンズ部１４を透過して前方に照射される光源１２からの光ＲａｙＡにより路面に形成される路面配光パターンの例である。
【００６２】
配光形成レンズ部１４は、当該配光形成レンズ部１４を透過して前方に照射される光源１２からの光ＲａｙＡにより仮想鉛直スクリーン上にロービーム用配光パターンの一部を構成する部分配光パターン（例えば、図３（ａ）〜図３（ｄ）に示す部分配光パターンのいずれか一つ）を形成するレンズ部として構成されている。具体的には、配光形成レンズ部１４は、前方側表面１４ａ、後方側表面１４ｂ及び後方側表面１４ｂが対向する位置に配置された光学設計上の基準点Ｆを含み（図１（ｃ）参照）、かつ、正面視で外形が矩形形状のレンズ部（図１（ａ）参照）として構成されている。もちろん、配光形成レンズ部１４は、これ以外の外形、例えば、図５に示すように、正面視で外形が円形状又は楕円形状のレンズ部として構成されていてもよい。配光形成レンズ部１４の材料は、ポリカーボネイトであってもよいし、それ以外のアクリル等の透明樹脂であってもよいし、ガラスであってもよい。
【００６３】
配光形成レンズ部１４は、例えば、次の手順で構成される。
【００６４】
まず、前方側表面１４ａの外形、面形状を設計する。前方側表面１４ａの外形、面形状は、デザイン優先で設計される。次に、その前方側表面１４ａの外形、面形状を前提として、後方側表面１４ｂから配光形成レンズ部１４内部に入射し、前方側表面１４ａから出射する光源１２からの光ＲａｙＡが、仮想鉛直スクリーン上にロービーム用配光パターンの一部を構成する部分配光パターンを形成するように、後方側表面１４ｂの面形状を設計する（例えば、自由曲面として設計する）。以上の手順により、配光形成レンズ部１４が構成される。もちろん、配光形成レンズ部１４は、これ以外のレンズ部、例えば、一般的な凸レンズ部として構成されていてもよい。
【００６５】
光源１２と配光形成レンズ部１４との間には、見栄え用発光レンズ部１６が配置されている。
【００６６】
見栄え用発光レンズ部１６は、図１（ａ）〜図１（ｃ）に示すように、配光形成レンズ部１４の周囲を取り囲む前端部１６ｅを含み、かつ、当該前端部１６ｅから基準軸ＡＸに沿って光源１２側に矩形筒状に延びて、配光形成レンズ部１４と光源１２との間の空間を取り囲む矩形筒状のレンズ部として構成されている。もちろん、見栄え用発光レンズ部１６は、これ以外の筒状のレンズ部、例えば、配光形成レンズ部１４の周囲を取り囲む前端部１６ｅを含み、かつ、当該前端部１６ｅから基準軸ＡＸに沿って光源１２側に円形又は楕円形筒状に延びて、配光形成レンズ部１４と光源１２との間の空間を取り囲む円形又は楕円形筒状のレンズ部として構成されていてもよい（配光形成レンズ部１４の外形が正面視で円形状又は楕円形状の場合。図５参照）。見栄え用発光レンズ部１６の材料は、ポリカーボネイトであってもよいし、それ以外のアクリル等の透明樹脂であってもよいし、ガラスであってもよい。なお、見栄え用発光レンズ部１６の軸ＡＸ１６は、基準軸ＡＸに一致していてもよいし、一致していなくてもよい。配光形成レンズ部１４は、その側面１４ｃが見栄え用発光レンズ部１６の内周面１６ａ（前端側）に密着した状態（例えば、接着により密着した状態）で当該見栄え用発光レンズ部１６に固定されている（図１（ｃ）参照）。なお、配光形成レンズ部１４と見栄え用発光レンズ部１６は、一体成形されていてもよい。配光形成レンズ部１４及び見栄え用発光レンズ部１６が本発明のレンズ体に相当する。
【００６７】
見栄え用発光レンズ部１６の主な機能は、第１に、光源１２からの光のうち配光形成レンズ部１４を透過する光ＲａｙＡより広角方向の光ＲａｙＢ１、Ｂ２及びＲａｙＣ（すなわち、配光形成レンズ部１４に入射しない従来損失となっていた光。図１（ｄ）参照）を見栄え用発光レンズ部１６内部に取り込むこと、第２に、見栄え用発光レンズ部１６内部に取り込まれた光ＲａｙＢ１、Ｂ２及びＲａｙＣにより見栄え用発光レンズ部１６全面が発光しているように視認させることである。
【００６８】
見栄え用発光レンズ部１６の内周面１６ａは、上面１６ａ１、下面１６ａ２及び側面１６ａ３、１６ａ４で囲まれた矩形筒状の面として構成されている。見栄え用発光レンズ部１６の内周面１６ａは、光源１２からの光ＲａｙＢ１、Ｂ２が見栄え用発光レンズ部１６内部に入射する入射面として機能する。見栄え用発光レンズ部１６の内周面１６ａは、当該内周面１６ａから見栄え用発光レンズ部１６内部に入射する光源１２からの光ＲａｙＢ１、Ｂ２を拡散させる拡散面として構成されている。具体的には、複数の微小凹凸を含むシボ面又はカット面として構成されている。このように、見栄え用発光レンズ部１６の内周面１６ａを拡散面として構成することで、当該見栄え用発光レンズ部１６の内周面１６ａから見栄え用発光レンズ部１６内部に入射する光源１２からの光ＲａｙＢ１、Ｂ２を見栄え用発光レンズ部１６の外周面１６ｂの全域（又は略全域）に入射させることができる。
【００６９】
同様に、見栄え用発光レンズ部１６の外周面１６ｂは、下面１６ｂ２及び下面１６ｂ２以外の面（上面１６ｂ１、側面１６ｂ３、１６ｂ４）で囲まれた矩形筒状の面として構成されている。もちろん、見栄え用発光レンズ部１６の外周面１６ｂは、下面１６ｂ５及び下面１６ｂ５以外の面１６ｂ６で囲まれた円形又は楕円形筒状の面として構成されていてもよい（配光形成レンズ部１４の外形が正面視で円形状又は楕円形状の場合。図５参照）。
【００７０】
見栄え用発光レンズ部１６の外周面１６ｂ（上面１６ｂ１及び側面１６ｂ３、１６ｂ４）は、内周面１６ａ（上面１６ａ１及び側面１６ａ３、１６ａ４）から見栄え用発光レンズ部１６内部に入射した光源１２からの光ＲａｙＢ１が出射する出射面として機能する。見栄え用発光レンズ部１６の外周面１６ｂ（上面１６ｂ１及び側面１６ｂ３、１６ｂ４。すなわち、下面１６ｂ２以外の面）は、見栄え用発光レンズ部１６の内周面１６ａから見栄え用発光レンズ部１６内部に入射し、当該外周面１６ｂ（上面１６ｂ１及び側面１６ｂ３、１６ｂ４）から出射する光源１２からの光ＲａｙＢ１を拡散させる拡散面として構成されている。具体的には、複数の微小凹凸を含むシボ面又はカット面として構成されている。
【００７１】
一方、見栄え用発光レンズ部１６の外周面１６ｂ（下面１６ｂ２）は、見栄え用発光レンズ部１６の内周面１６ａから見栄え用発光レンズ部１６内部に入射し、当該外周面１６ｂ（下面１６ｂ２）に入射する光源１２からの光ＲａｙＢ２を拡散反射させる拡散反射面として構成されている。具体的には、複数の微小凹凸を含むシボ面又はカット面として構成されている。
【００７２】
見栄え用発光レンズ部１６の後端面１６ｃは、当該後端面１６ｃから見栄え用発光レンズ部１６内部に入射した光源１２からの光ＲａｙＣが平行光線となって見栄え用発光レンズ部１６の前端面１６ｄに向かって進行して当該前端面１６ｄから出射するように、その面形状が構成されている。
【００７３】
一方、見栄え用発光レンズ部１６の前端面１６ｄは、当該前端面１６ｄから出射する光源１２からの光ＲａｙＣを拡散させる拡散面として構成されている。具体的には、複数の微小凹凸を含むシボ面又はカット面として構成されている。
【００７４】
上記構成の車両用灯具１０においては、配光形成レンズ部１４を透過して前方に照射される光源１２からの光ＲａｙＡにより仮想鉛直スクリーン上にロービーム用配光パターンの一部を構成する部分配光パターン（本発明の所定配光パターンに相当）が形成される。
【００７５】
また、見栄え用発光レンズ部１６全面が発光しているように視認される（すなわち、見栄え用発光レンズ部１６が立体的に発光しているように視認される）。これは、見栄え用発光レンズ部１６内部に入射した光源１２からの光ＲａｙＢ１、Ｂ２及びＲａｙＣが、以下に説明するように、外周面１６ｂ（拡散反射面及び拡散面）及び見栄え用発光レンズ部１６の前端面１６ｄ（拡散面）の作用により、見栄え用発光レンズ部１６全面から拡散光として出射することによるものである。
【００７６】
光源１２からの光ＲａｙＢ１は、図１（ｄ）に示すように、内周面１６ａ（上面１６ａ１及び側面１６ａ３、１６ａ４）から見栄え用発光レンズ部１６内部に入射する。
【００７７】
その際、光源１２からの光ＲａｙＢ１は、拡散面としての内周面１６ａ（上面１６ａ１及び側面１６ａ３、１６ａ４）の作用により、あらゆる方向に拡散する拡散光となって、外周面１６ｂ（上面１６ｂ１及び側面１６ｂ３、１６ｂ４）の全域（又は略全域）に入射し、さらに、拡散面としての外周面１６ｂ（上面１６ｂ１及び側面１６ｂ３、１６ｂ４）の作用により、あらゆる方向に拡散する拡散光となって当該外周面１６ｂ（上面１６ｂ１及び側面１６ｂ３、１６ｂ４）から出射する。これにより、見栄え用発光レンズ部１６の外周面１６ｂ（上面１６ｂ１及び側面１６ｂ３、１６ｂ４）が発光しているように視認される。
【００７８】
一方、光源１２からの光ＲａｙＢ２は、内周面１６ａ（下面１６ａ２）から見栄え用発光レンズ部１６内部に入射する。
【００７９】
その際、光源１２からの光ＲａｙＢ２は、拡散面としての内周面１６ａ（下面１６ａ２）の作用により、あらゆる方向に拡散する拡散光となって、外周面１６ｂ（下面１６ｂ２）の全域（又は略全域）に入射し、さらに、拡散反射面としての外周面１６ｂ（下面１６ｂ２）の作用により、あらゆる方向に拡散する拡散反射光となって内周面１６ａ（下面１６ａ２）、配光形成レンズ部１４、見栄え用発光レンズ部１６の前端面１６ｄ等を透過して外部に出射する。これにより、配光形成レンズ部１４等が発光しているように視認される。
【００８０】
一方、光源１２からの光ＲａｙＣは、見栄え用発光レンズ部１６の後端面１６ｃから見栄え用発光レンズ部１６内部に入射し、当該後端面１６ｃの作用により平行光線となって見栄え用発光レンズ部１６の前端面１６ｄに向かって進行し、拡散面としての前端面１６ｄの作用により、あらゆる方向に拡散する拡散光となって当該前端面１６ｄから出射する。これにより、見栄え用発光レンズ部１６の前端面１６ｄが発光しているように視認される。
【００８１】
以上のように、見栄え用発光レンズ部１６内部に入射した光源１２からの光ＲａｙＢ１、Ｂ２及びＲａｙＣが、外周面１６ｂ（拡散反射面及び拡散面）及び見栄え用発光レンズ部１６の前端面１６ｄ（拡散面）の作用により、見栄え用発光レンズ部１６全面から拡散光として出射する。その結果、見栄え用発光レンズ部１６全面が発光しているように視認される（すなわち、見栄え用発光レンズ部１６が立体的に発光しているように視認される）。
【００８２】
次に、上記構成の車両用灯具１０の効果を確認するために行ったシミュレーション結果について説明する。
【００８３】
図６（ａ）は、本実施形態の車両用灯具１０のシミュレーション結果を表す図で、車両前後方向に延びる基準軸ＡＸを含む水平面に対して上30度、基準軸ＡＸを含む鉛直面に対して右30度の方向から、本実施形態の車両用灯具１０を観測した図である。図６（ａ）において、配光形成レンズ部１４及び見栄え用発光レンズ部１６は上下左右0.2[mm]ピッチで複数のセルに分割されている。シミュレーションでは、複数のセルのうち本実施形態の車両用灯具１０からの光線（光線の直径0.1[mm]）が透過する本数が予め定められたしきい値より多いセル（すなわち光度が高い領域）を算出した。図６（ｂ）に描かれたドットは、その算出したセル（すなわち光度が高い領域）を表している。
【００８４】
図６（ｂ）は、比較例の車両用灯具（車両用灯具１０から見栄え用発光レンズ部１６を省略した車両用灯具）のシミュレーション結果を表す図で、車両前後方向に延びる基準軸ＡＸを含む水平面に対して上30度、基準軸ＡＸを含む鉛直面に対して右30度の方向から、比較例の車両用灯具を観測した図である。図６（ｂ）において、配光形成レンズ部１４は上下左右0.2[mm]ピッチで複数のセルに分割されている。シミュレーションでは、複数のセルのうち比較例の車両用灯具からの光線（光線の直径0.1[mm]）が透過する本数が予め定められたしきい値より多いセル（すなわち光度が高い領域）を算出した。しかしながら、図６（ｂ）に示すとおり、そのような条件を満たすセル（すなわち光度が高い領域）は存在しなかった。
【００８５】
図６（ａ）と図６（ｂ）とを対比すると、本実施形態の車両用灯具１０は、比較例の車両用灯具と比べ、多数の発光点（光線が透過する本数が予め定められたしきい値より多いセル）が広域に分散しており、見栄え用発光レンズ部１６全面が発光しているように視認される（すなわち、見栄え用発光レンズ部１６が立体的に発光しているように視認される）ことが分かる。
【００８６】
図７は、本実施形態の車両用灯具１０（見栄え用発光レンズ部１６の内周面１６ａが拡散面ではなく、平面として構成された車両用灯具）のシミュレーション結果を表す図で、車両前後方向に延びる基準軸ＡＸを含む水平面に対して上30度、基準軸ＡＸを含む鉛直面に対して右30度の方向から、本実施形態の車両用灯具１０を観測した図である。図７において、配光形成レンズ部１４及び見栄え用発光レンズ部１６は上下左右0.2[mm]ピッチで複数のセルに分割されている。シミュレーションでは、複数のセルのうち本実施形態の車両用灯具１０からの光線（光線の直径0.1[mm]）が透過する本数が予め定められたしきい値より多いセル（すなわち光度が高い領域）を算出した。図７に描かれたドットは、その算出したセル（すなわち光度が高い領域）を表している。
【００８７】
図６（ａ）と図７とを対比すると、見栄え用発光レンズ部１６の内周面１６ａが拡散面ではなく、平面として構成されている場合であっても、見栄え用発光レンズ部１６全面が発光しているように視認される（すなわち、見栄え用発光レンズ部１６が立体的に発光しているように視認される）ことが分かる。また、見栄え用発光レンズ部１６の内周面１６ａが拡散面として構成されている場合の方が、発光面積が大きくなることが分かる。
【００８８】
図８（ａ）は、本実施形態の車両用灯具１０（見栄え用発光レンズ部１６の内周面１６ａが、相対的に粗さが大きいシボ面として構成された車両用灯具）のシミュレーション結果を表す図で、車両前後方向に延びる基準軸ＡＸを含む水平面に対して上30度、基準軸ＡＸを含む鉛直面に対して右30度の方向から、本実施形態の車両用灯具１０を観測した図である。図８（ａ）において、配光形成レンズ部１４及び見栄え用発光レンズ部１６は上下左右0.2[mm]ピッチで複数のセルに分割されている。シミュレーションでは、複数のセルのうち本実施形態の車両用灯具１０からの光線（光線の直径0.1[mm]）が透過する本数が予め定められたしきい値より多いセル（すなわち光度が高い領域）を算出した。図８（ａ）に描かれたドットは、その算出したセル（すなわち光度が高い領域）を表している。
【００８９】
図８（ｂ）は、本実施形態の車両用灯具１０（見栄え用発光レンズ部１６の内周面１６ａが、相対的に粗さが小さいシボ面として構成された車両用灯具）のシミュレーション結果を表す図で、車両前後方向に延びる基準軸ＡＸを含む水平面に対して上30度、基準軸ＡＸを含む鉛直面に対して右30度の方向から、本実施形態の車両用灯具１０を観測した図である。図８（ｂ）において、配光形成レンズ部１４及び見栄え用発光レンズ部１６は上下左右0.2[mm]ピッチで複数のセルに分割されている。シミュレーションでは、複数のセルのうち本実施形態の車両用灯具１０からの光線（光線の直径0.1[mm]）が透過する本数が予め定められたしきい値より多いセル（すなわち光度が高い領域）を算出した。図８（ｂ）に描かれたドットは、その算出したセル（すなわち光度が高い領域）を表している。
【００９０】
図８（ａ）と図８（ｂ）とを対比すると、見栄え用発光レンズ部１６の内周面１６ａに形成されるシボ面の粗さが大きいほど、全体的に光が拡散し、発光面積が大きくなることが分かる。
【００９１】
車両用灯具１０は、表面にアルミ蒸着処理が施され、車両用灯具の内部構造を覆い隠すとともに、灯室空間全体を鏡面色に見せて見栄えを良好なものとする目的で配置されるエクステンションＥを備えていてもよい。
【００９２】
図９は、エクステンションＥを追加した車両用灯具１０の斜視図である。
【００９３】
エクステンションＥは、図９に示すように、見栄え用発光レンズ部１６の外周面１６ｂの一部（例えば、図９中、上面１６ｂ１及び車両前方に向かって左側の側面１６ｂ３）が外部から視認されるように、見栄え用発光レンズ部１６の外周面１６ｂのうち一部（例えば、上面１６ｂ１及び側面１６ｂ３）以外の部分を取り囲んだ状態で配置されている。このようにすれば、エクステンションＥが見栄え用発光レンズ部１６の外周面１６ｂのうち一部（例えば、上面１６ｂ１及び側面１６ｂ３）以外の部分を取り囲み、かつ、見栄え用発光レンズ部１６の外周面１６ｂの一部（例えば、上面１６ｂ１及び側面１６ｂ３）が外部から視認される新規見栄えの車両用灯具を提供することができる。
【００９４】
以上説明したように、本実施形態によれば、光源１２と光源１２の前方に配置された配光形成レンズ部１４とを備えた車両用灯具１０において、外部から光源１２やその周囲に配置された配線等の内部構造（図示せず）が直接視認されないように見栄えを改善するとともに、光利用効率を高めることができる。
【００９５】
外部から光源１２やその周囲に配置された配線等の内部構造が直接視認されないように見栄えを改善することができるのは、見栄え用発光レンズ部１６が、配光形成レンズ部１４の周囲を取り囲む前端部１６ｅを含み、かつ、当該前端部１６ｅから光源１２側に筒状に延びて、配光形成レンズ部１４と光源１２との間の空間を取り囲んでいることによるものである。さらに、見栄え用発光レンズ部１６の外周面１６ｂ（上面１６ｂ１及び側面１６ｂ３、１６ｂ４）及び内周面１６ａが拡散面として構成されていることによるものである。
【００９６】
光利用効率を高めることができるのは、光源１２からの光のうち配光形成レンズ部１４を透過する光ＲａｙＡより広角方向の光ＲａｙＢ１、Ｂ２及びＲａｙＣ（すなわち、配光形成レンズ部１４に入射しない従来損失となっていた光。図１（ｄ）参照）を、見栄え用発光レンズ部１６が発光しているように視認させるために用いたことによるものである。
【００９７】
また、本実施形態によれば、見栄え用発光レンズ部１６全面が発光しているように視認される（すなわち、見栄え用発光レンズ部１６が立体的に発光しているように視認される）新規見栄えの車両用灯具１０を提供することができる。これは、見栄え用発光レンズ部１６内部に入射した光が、外周面１６ｂ（拡散反射面及び拡散面）及び見栄え用発光レンズ部１６の前端面１６ｄ（拡散面）の作用により、見栄え用発光レンズ部１６全面から拡散光として出射することによるものである。
【００９８】
次に、変形例について説明する。
【００９９】
図１０は、見栄え用発光レンズ部１６の第１変形例である見栄え用発光レンズ部１６Ａの縦断面図である。
【０１００】
図１０に示すように、本変形例の見栄え用発光レンズ部１６Ａの後端部１６ｆは、上記実施形態の見栄え用発光レンズ部１６と比べ、光源１２の側方まで延びている。
【０１０１】
本変形例の見栄え用発光レンズ部１６Ａによれば、入射面として機能する見栄え用発光レンズ部１６Ａの内周面１６ａが基準軸ＡＸ方向に延長され、より多くの光ＲａｙＢ１、Ｂ２が当該延長された内周面１６ａから見栄え用発光レンズ部１６Ａ内部に入射することとなる。その結果、見栄え用発光レンズ部１６Ａがより明るく発光しているように視認される。
【０１０２】
また、本変形例の見栄え用発光レンズ部１６Ａによれば、見栄え用発光レンズ部１６Ａの後端面１６ｃは入射面として機能せず、かつ、見栄え用発光レンズ部１６の前端面１６ｄは出射面として機能しないため、これら後端面１６ｃ及び前端面１６ｄを自由な面形状とすることができる。
【０１０３】
図１１は見栄え用発光レンズ部１６の第２変形例である見栄え用発光レンズ部１６Ｂの斜視図、図１２は縦断面図である。
【０１０４】
図１１、図１２に示すように、本変形例の見栄え用発光レンズ部１６Ｂの前端面１６ｄは、その前方に焦点Ｆ１６ｄ１が設定された複数のレンズ面１６ｄ１（例えば、球面又は球状レンズ面）を含んでいる。
【０１０５】
本変形例の見栄え用発光レンズ部１６Ｂによれば、レンズ面１６ｄ１から出射する光源１２からの光ＲａｙＣを集光させた後、拡散させることができる。また、各々のレンズ面１６ｄ１から出射する光が１点に集光するため、レンズ面１６ｄ１の数だけ点が並んだ新規見栄えの車両用灯具を提供することができる。
【０１０６】
図１３は、第２変形例の見栄え用発光レンズ部１６Ｂを用いた車両用灯具１０のシミュレーション結果を表す図で、車両前後方向に延びる基準軸ＡＸを含む水平面に対して上30度、基準軸ＡＸを含む鉛直面に対して右30度の方向から、本変形例の見栄え用発光レンズ部１６Ｂを用いた車両用灯具１０を観測した図である。図１３において、配光形成レンズ部１４及び見栄え用発光レンズ部１６Ｂは上下左右0.2[mm]ピッチで複数のセルに分割されている。シミュレーションでは、複数のセルのうち本変形例の見栄え用発光レンズ部１６Ｂを用いた車両用灯具１０からの光線（光線の直径0.1[mm]）が透過する本数が予め定められたしきい値より多いセル（すなわち光度が高い領域）を算出した。図１３に描かれたドットは、その算出したセル（すなわち光度が高い領域）を表している。
【０１０７】
図１３を参照すると、レンズ面１６ｄ１の数だけ点が並んだ新規見栄えを実現することができることが分かる。
【０１０８】
上記実施形態及び各変形例で示した各数値は全て例示であり、これと異なる適宜の数値を用いることができる。
【０１０９】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【０１１０】
１０…車両用灯具、１２…光源、１２ａ…発光面、１４…配光形成レンズ部、１４ａ…前方側表面、１４ｂ…後方側表面、１４ｃ…側面、１６、１６Ａ、１６Ｂ…見栄え用発光レンズ部、１６ａ…内周面、１６ａ１…上面、１６ａ２…下面、１６ａ３…側面、１６ｂ…外周面、１６ｂ１…上面、１６ｂ２…下面、１６ｂ３…側面、１６ｃ…後端面、１６ｄ…前端面、１６ｄ１…レンズ面
【図１】
2015204228.tif 000003
【図２】
2015204228.tif 000004
【図３】
2015204228.tif 000005
【図４】
2015204228.tif 000006
【図５】
2015204228.tif 000007
【図６】
2015204228.tif 000008
【図７】
2015204228.tif 000009
【図８】
2015204228.tif 000010
【図９】
2015204228.tif 000011
【図１０】
2015204228.tif 000012
【図１１】
2015204228.tif 000013
【図１２】
2015204228.tif 000014
【図１３】
2015204228.tif 000015
【図１４】
2015204228.tif 000016